(57)【要約】【課題】  視覚障害者が操作し易いエレベーターの呼び登録装置を得ること。【解決手段】  かご室１内に設けられ、区画に仕切られた複数の釦を有すると共に、該釦に対応した制御の実行指令を発生する第１タッチパネル１１と、乗客が釦に触れたことにより前記釦に対応したアナウンスを発生する第１スピーカ１３と、所定時間内に釦と同一の前記釦を再び乗客が触れることにより釦に対応した実行指令を確定する登録制御部２０ｃと、を備えたものである。【選択図】          図３
2009007074.tif 000002
【特許請求の範囲】
【請求項１】
乗場又はかご内に設けられ、区画に仕切られた複数の釦を有すると共に、該釦に対応した制御の実行指令を発生するタッチパネルと、
乗客が前記釦に触れたことにより前記釦に対応したアナウンスを発生する音声発声手段と、
所定時間内に前記釦と同一の前記釦を再び乗客が触れることにより前記釦に対応した実行指令を確定する登録制御手段と、
を備えたことを特徴とするエレベーターの呼び登録装置。
【請求項２】
前記乗場又は前記かご内に設けられ、エレベーターの利用が許可される乗客か否かを判断する認証手段と、
前記認証手段により認証が認められると、前記タッチパネルを動作可能な状態にする制御手段と、
を備えたことを特徴とする請求項１に記載のエレベーターの呼び登録装置。
【発明の詳細な説明】
【技術分野】
【０００１】
本発明は、エレベーターの呼び登録装置に関し、特に視覚障害者に適するものである。
【背景技術】
【０００２】
従来のエレベーターの呼び登録装置は、エレベーターの乗場及びかご内に設置された操作盤と、操作盤内に配置され、かごの運転を行なう操作釦と、乗場または前記かご内のどちらか一方の操作釦に隣接して設けられ、操作釦の表示内容と同一内容を表す点字文字と操作釦の表示内容と同一内容を表す絵文字によって構成されている標識部と、乗場及びかご内に設けられ、標識部に触れた場合に、触れた標識部の表示内容を音声報知する音声装置を備えている。
さらに、乗場及びかご内に設けられ、操作釦が操作された場合に、操作された操作釦の表示内容を音声報知する音声装置を備えている。
【０００３】
上記呼び登録装置によれば、点字文字を理解することが困難である視覚障害者でも、エレベーターの操作釦の表示内容を容易に認識できる。
【０００４】
【特許文献１】特開２００４−２６９１９６公報
【発明の開示】
【発明が解決しようとする課題】
【０００５】
上記呼び登録装置は、視覚障害者が点字などの標識部を触れた場合に音声でその表示内容をアナウンスされても、それに隣接する操作釦は手探りで探すしかなく、誤って他の操作釦を押してしまい、希望する操作と異なる操作が成されるという課題があった。
【０００６】
本発明は上記課題を解消するためになされたもので、視覚障害者が操作し易いエレベーターの呼び登録装置を提供することを目的とする。
【課題を解決するための手段】
【０００７】
第１の発明に係るエレベーターの呼び登録装置は、乗場又はかご内に設けられ、区画に仕切られた複数の釦を有すると共に、該釦に対応した制御の実行指令を発生するタッチパネルと、乗客が前記釦に触れたことにより前記釦に対応したアナウンスを発生する音声発声手段と、所定時間内に前記釦と同一の前記釦を再び乗客が触れることにより前記釦に対応した実行指令を確定する登録制御手段と、を備えたことを特徴とするものである。
【０００８】
第２の発明に係るエレベーターの呼び登録装置は、乗場又はかご内に設けられ、エレベーターの利用が許可される乗客か否かを判断する認証手段と、認証手段により認証が認められると、タッチパネルを動作可能な状態にする制御手段と、を備えたことを特徴とするものである。
【発明の効果】
【０００９】
第１の発明によれば、音声発声手段は乗客がタッチパネルの釦に触れたことにより釦に対応したアナウンスを発生し、登録制御手段が所定時間内に釦と同一の釦を再び乗客が触れることにより釦に対応した実行指令を確定したので、視覚障害者の呼び登録などの誤操作を排除することにより、操作し易い呼び登録装置を得ることができるという効果がある。
【００１０】
第２の発明によれば、制御手段が認証手段により認証が認められると、タッチパネルを動作可能な状態にしたので、認証者以外のエレベーターの操作を防止できるという効果がある。
【発明を実施するための最良の形態】
【００１１】
実施の形態1．
本発明の一実施の形態を図１から図３を参照して説明する。図１は本発明の一実施の形態を示すエレベーターの呼び登録装置を含む全体図、図２は図１に示す第１タッチパネルの正面図(a)、図１に示す第２タッチパネルの正面図(b)、図３は図１による呼び登録装置の内部ブロック図である。
図１において、エレベーターの昇降路５が設けられ、機械室には制御盤２０が設置されており、かご室１内には側面に操作盤７が取り付けられ、天井付近に第1音声発声手段としての第1スピーカー１３が固定されている。
操作盤７には、戸の開閉、かご室１の行き先階の登録など操作釦を画面表示すると共に、表示画面に触れることにより、表示画面の機能を選択できる第１タッチパネル１１と、乗客を認証する第１認証部９とが設けられている。
図２(a)において、第１タッチパネル１１は、戸の開閉、かご室１の行き先階の登録など呼び釦１１aと、戸の開放を指示する戸開釦１１cと、戸の戸閉を指示する戸閉め釦１１ｆとを有すると共に、呼び釦１１a，戸開釦１１c, 戸閉め釦１１ｆを画面表示すると共に、表示画面に触れることにより呼び釦１１a，戸開釦１１c, 戸閉め釦１１ｆを選択できる。
【００１２】
乗場３には、乗客が上方にかご室１の行先階の登録を成す上昇用の乗場呼び釦２１aと、乗客が下方にかご室１の行先階の登録を成す下降用の乗場呼び釦２１cとを有すると共に、画面表示すると共に、表示画面に触れることにより乗場呼び釦２１a，２１cを選択できる第２タッチパネル２１と、乗客を認証する第２認証部２３とが設けられている。
かご室１外には、側面に第１タッチパネル１１を制御する第１パネル制御部１９と、天井に第1スピーカー１３を制御する第１音声制御部１７とを有している。
昇降路５の乗場３には、第２タッチパネル２１を制御する第２パネル制御部２５と、第２スピーカー２７を制御する第２音声制御部２９とを有している。
【００１３】
図３において、制御盤２０には、かご室１の動作を制御するエレベーター制御部２０ａと、第１パネル制御部１９及び第１音声制御部１７に接続されると共に、第２パネル制御部２５及び第２音声制御部２９に接続される登録制御部２０ｃと、第１パネル制御部１９及び第１認証部９に接続された第１認証判定部２０ｅと、第２パネル制御部２５及び第２認証部２３に接続された第２認証判定部２０ｆとを有している。
【００１４】
第１パネル制御部１９には、第１タッチパネル１１kの釦に触れたことにより生じる指令信号を受信すると共に、制御盤２０の登録制御部２０ｃに送信する第１送受信部１９ａと、登録制御部２０ｃ，第１認証部２０ｅからのオン指令信号により第１タッチパネル１１を動作可能にすると共に、登録制御部２０ｃ、第１認証部２０ｅからのオフ指令信号により第１タッチパネル１１の動作を停止する第１制御部１９ｃとを有している。
第２パネル制御部２５には、第１タッチパネル２１に釦に触れたことにより生じる指令信号を受信すると共に、制御盤２０の登録制御部２０ｃに送信する第２送受信部２５ａと、登録制御部２０ｃ、第２認証部２０ｆからのオン指令信号により第２タッチパネル２１を動作可能にすると共に、登録制御部２０ｃ、第２認証部２０ｆからのオフ指令信号により第２タッチパネル２１の動作を停止する第２制御部２５ｃとを有している。
【００１５】
上記のように構成されたエレベーターの呼び登録装置の動作を図１から図４を参照して説明する。図４は図１による呼び登録装置の動作を示すフローチャートである。
いま、かご室１の戸が開放されていて、第１タッチパネル１１は消灯状態、つまり動作停止状態となっており、視覚障害者の乗客はエレベーターを操作することができない。乗客はかご室１に乗車し、第１認証部９にて指紋などの認証を成すと、制御盤２０の第１認証判定部２０ｅは、予め登録された指紋のパターンと照合して認証の是非の判定をする(ステップＳ１０１)。認証が認められると、第１制御部１９ｃがオン指令信号を第１タッチパネル１１に送信し、第１タッチパネル１１が画面を点灯して第1タッチパネル１１を動作可能な状態にする(ステップＳ１０３)。
【００１６】
次に、乗客が第１タッチパネル１１の「２Ｆの呼び釦」に触れると(ステップＳ１０５)、触れた「２Ｆの呼び釦」に対応するパネル信号が第１送受信部１９ａに送信され、第１送受信部１９ａがパネル信号を登録制御部２０ｃに送信する。
登録制御部２０ｃはパネル信号の内容をアナウンスするように第１音声制御部１７に音声再生指令を送信し、乗客が第１タッチパネル１１に触れた「２Ｆ」の呼び釦に触れると、第１音声制御部１７が第１スピーカー１３から「２Ｆの呼び釦が選択されました。確定するには、もう一度同じ場所を選択してください。」とのアナウンスが流れる(ステップＳ１０７)、登録制御部２０ｃは、第１表示制御部１９ｃに第１タッチパネル１１の「２Ｆ」の呼び釦を選択する準備状態を示す準備指令信号を送信する(ステップＳ１０９)。
【００１７】
次に、乗客が上記「２Ｆ」の呼び釦に触れてから所定時間内に、第１タッチパネル１１の「２Ｆ」の呼び釦に再び触れると、登録制御部２０ｃは、「２Ｆ」の呼び釦の実行指令を確定する(ステップＳ１１１)。該確定された旨の内容をアナウンスさせるように第１音声制御部１７に音声再生指令を送信し、第１スピーカ１３から「２Ｆの呼び釦が確定しました」旨アナウンスすると共に(ステップＳ１１３)、第１制御部１９ｃを介して、２Ｆの呼び釦を登録された表示にする(ステップＳ１１５)。制御部２０ａは２Ｆの呼びが登録されたので、かご室１を２Ｆに向かって走行して停止さる(ステップＳ１１７)。
【００１８】
制御部２０ａは、かご室１への最後の呼びである「２Ｆ」と、かご室１の停止位置が一致しているか否かを判断し(ステップＳ１１９)、一致しておれば、第１制御部１９ｃを介して第１タッチパネル１１の画面を消灯すると共に、第１タッチパネル１１の動作を停止し(ステップＳ１２１)、終了する。
一方、ステップＳ１１１において、第１タッチパネル１１の「２Ｆ」の呼び釦に触れてから、所定時間内に、上記「２Ｆ」の呼び釦に触れないと、ステップ１０９の準備状態を解除する(ステップＳ１２３)。
【００１９】
上記実施の形態では、かご室１の第１タッチパネルの動作を説明したが、乗場３の第２タッチパネル２１でも同様の作用、効果を奏することは言うまでもない。
【００２０】
上記実施の形態によれば、かご室１内に設けられ、区画に仕切られた複数の釦を有すると共に、該釦に対応した制御の実行指令を発生する第１タッチパネル１１と、乗客が釦に触れたことにより前記釦に対応したアナウンスを発生する第１スピーカ１３と、所定時間内に釦と同一の前記釦を再び乗客が触れることにより釦に対応した実行指令を確定する登録制御部２０ｃとを備える。これにより第１スピーカーは乗客が第１タッチパネル１１の釦に触れたことにより釦に対応したアナウンスを発生し、登録制御部２０ｃが所定時間内に釦と同一の釦を再び乗客が触れることにより釦に対応した実行指令を確定したので、視覚障害者の呼び登録などの誤操作を排除することにより、操作し易い呼び登録装置を得ることができる
【産業上の利用可能性】
【００２１】
本発明は、エレベーターの呼び登録装置に適用できる。
【図面の簡単な説明】
【００２２】
【図１】本発明の一実施の形態を示すエレベーターの呼び登録装置を含む全体図である。
【図２】図１に示す第１タッチパネルの正面図(a)、図１に示す第２タッチパネルの正面図(b)である。
【図３】図１による呼び登録装置の内部ブロック図である。
【図４】図１による呼び登録装置の動作を示すフローチャートである。
【符号の説明】
【００２３】
１  かご室、９  第１認証部、１１  第１タッチパネル、１３  第１スピーカー、１９ｃ  第１制御部、２０ｃ  登録制御部、２１  第２タッチパネル、２３  第２認証部、２５ｃ  第２制御部、２７  第２スピーカー。
【図１】
2009007074.tif 000003
【図２】
2009007074.tif 000004
【図３】
2009007074.tif 000005
【図４】
2009007074.tif 000006